(57)【要約】【課題】放射線検出器の近傍において動作状態を容易に視認することができる動作状態表示装置、および放射線画像撮影システムを提供することである。【解決手段】実施形態に係る動作状態表示装置は、放射線検出器に設けられた第１の表示部の表示状態を検出する第１の検出部と、前記第１の検出部により検出された前記表示状態を表示する第２の表示部と、を備えている。【選択図】図１
2018102354.tif 000002
【特許請求の範囲】
【請求項１】
放射線検出器に設けられた第１の表示部の表示状態を検出する第１の検出部と、
前記第１の検出部により検出された前記表示状態を表示する第２の表示部と、
を備えた動作状態表示装置。
【請求項２】
前記第１の検出部は、前記第１の表示部の近傍に設けられ、
前記第２の表示部は、前記第１の表示部から離れた位置に設けられている請求項１記載の動作状態表示装置。
【請求項３】
前記第１の検出部は、前記第１の表示部の発光状態を検出し、
前記第１の検出部に対する外乱光を抑制する遮光部をさらに備えた請求項１または２に記載の動作状態表示装置。
【請求項４】
放射線照射部と、
前記放射線照射部から照射された放射線を電気的な情報に変換する第２の検出部と、動作状態を表示する第１の表示部と、を有する放射線検出器と、
請求項１〜３のいずれか１つに記載の動作状態表示装置と、
を備えた放射線画像撮影システム。
【請求項５】
前記放射線照射部、前記放射線検出器、および前記動作状態表示装置は、撮影室の内部に設けられている請求項４記載の放射線画像撮影システム。
【発明の詳細な説明】
【技術分野】
【０００１】
本発明の実施形態は、動作状態表示装置、および放射線画像撮影システムに関する。
【背景技術】
【０００２】
放射線検出器の一種にＸ線検出器がある。  
近年においては、Ｘ線検出器の形態の多様化が進み、その一つの例として、携帯性を向上させたポータブルタイプのＸ線検出器が開発されている。また、ポータブルタイプのＸ線検出器の携帯性をさらに向上させるために、配線を介さずにデータ通信を行う無線タイプのＸ線検出器も提案されている。
【０００３】
一般的に、Ｘ線検出器には、動作状態を表示するための表示部が設けられている。ところが、Ｘ線検出器が、撮影台などに設けられたケースの内部に収納される場合には、ケースの外部から表示部を視認することが困難となる。この場合、ケースに孔を設け、孔を介してケースの外部から表示部を視認できるようにしても、被検体や撮影台などに隠れて表示部の視認が困難となる場合が多い。
【０００４】
また、Ｘ線画像などを表示するための表示部に、Ｘ線検出器の動作状態を表示することもできるが、全てのＸ線検出器が動作状態を表示部に表示する機能を有しているとは限らない。また、一般的に、Ｘ線検出器やＸ線照射部は撮影室に設けられ、表示部は撮影室とは別の操作室に設けられている。そのため、Ｘ線検出器の設定とその確認を行う場所が離れてしまうので、例えば、初期設定などの場合には作業が煩雑となる。  
そこで、Ｘ線検出器の近傍において動作状態を容易に視認することができる技術の開発が望まれていた。
【先行技術文献】
【特許文献】
【０００５】
【特許文献１】特開２００４−２０８７４９号公報
【発明の概要】
【発明が解決しようとする課題】
【０００６】
本発明が解決しようとする課題は、放射線検出器の近傍において動作状態を容易に視認することができる動作状態表示装置、および放射線画像撮影システムを提供することである。
【課題を解決するための手段】
【０００７】
実施形態に係る動作状態表示装置は、放射線検出器に設けられた第１の表示部の表示状態を検出する第１の検出部と、前記第１の検出部により検出された前記表示状態を表示する第２の表示部と、を備えている。
【図面の簡単な説明】
【０００８】
【図１】Ｘ線画像撮影システム１００を例示するための模式図である。
【図２】（ａ）、（ｂ）は、Ｘ線検出器１の模式図である。
【図３】検出部１０を例示するための模式斜視図である。
【図４】Ｘ線検出器１および動作状態表示装置５０を例示するための模式図である。
【発明を実施するための形態】
【０００９】
以下、図面を参照しつつ、実施の形態について例示をする。なお、各図面中、同様の構成要素には同一の符号を付して詳細な説明は適宜省略する。  
本実施の形態に係る放射線検出器は、Ｘ線のほかにもγ線などの各種放射線に適用させることができる。ここでは、一例として、放射線の中の代表的なものとしてＸ線に係る場合を例にとり説明をする。したがって、以下の実施形態の「Ｘ線」を「他の放射線」に置き換えることにより、他の放射線にも適用させることができる。
【００１０】
また、以下に例示をするＸ線検出器１は、放射線画像であるＸ線画像を検出するＸ線平面センサである。Ｘ線平面センサには、大きく分けて直接変換方式と間接変換方式がある。
直接変換方式は、入射Ｘ線により光導電膜内部に発生した光導電電荷（電荷）を高電界により電荷蓄積用の蓄積キャパシタに直接導く方式である。  
間接変換方式は、Ｘ線をシンチレータにより蛍光（可視光）に変換し、蛍光をフォトダイオードなどの光電変換素子により電荷に変換し、電荷を蓄積キャパシタに導く方式である。  
以下においては、一例として、間接変換方式のＸ線検出器１を例示するが、本発明は直接変換方式のＸ線検出器にも適用することができる。  
すなわち、Ｘ線検出器は、Ｘ線を電気的な情報に変換する検出部を有するものであれば良い。検出部は、例えば、Ｘ線を直接的またはシンチレータと協働して検出するものとすることができる。
【００１１】
また、以下においては、一例として、無線タイプのＸ線検出器１を例示するが、本発明は配線を介してデータ通信を行う有線タイプのＸ線検出器にも適用することができる。  
また、Ｘ線検出器１は、例えば、一般医療用途などに用いることができるが、用途に限定はない。
【００１２】
図１は、Ｘ線画像撮影システム１００を例示するための模式図である。  
図２（ａ）、（ｂ）は、Ｘ線検出器１の模式図である。  
図２（ａ）はＸ線検出器１の模式平面図、図２（ｂ）はＸ線検出器１の模式側面図である。  
図３は、検出部１０を例示するための模式斜視図である。  
図４は、Ｘ線検出器１および動作状態表示装置５０を例示するための模式図である。
【００１３】
図１に示すように、Ｘ線画像撮影システム１００には、Ｘ線検出器１、撮影台２０、Ｘ線照射部３０、制御部４０、および動作状態表示装置５０が設けられている。  
Ｘ線検出器１、撮影台２０、Ｘ線照射部３０、および動作状態表示装置５０は、撮影室１０１の内部に設けられている。制御部４０は、操作室１０２の内部に設けられている。なお、図１に示すように、アンテナ４３は、撮影室１０１の内部に設けることもできるし、操作室１０２の内部に設けることもできる。
【００１４】
図２（ａ）、（ｂ）に示すように、Ｘ線検出器１には、検出部１０（第２の検出部の一例に相当する）、電源部１１、通信部１２、表示部１３（第１の表示部の一例に相当する）、および筐体１４が設けられている。  図３に示すように、検出部１０には、アレイ基板２、回路基板３、およびシンチレータ４が設けられている。
【００１５】
検出部１０は、Ｘ線照射部３０から照射されたＸ線を電気的な情報に変換する。検出部１０は、筐体１４の内部に設けられている。  
アレイ基板２は、シンチレータ４によりＸ線から変換された蛍光（可視光）を信号電荷に変換する。  
アレイ基板２は、基板２ａ、光電変換部２ｂ、制御ライン（又はゲートライン）２ｃ１、データライン（又はシグナルライン）２ｃ２、および保護層２ｆなどを有する。  
なお、光電変換部２ｂ、制御ライン２ｃ１、およびデータライン２ｃ２などの数は例示をしたものに限定されるわけではない。
【００１６】
基板２ａは、板状を呈し、無アルカリガラスなどの透光性材料から形成されている。  
光電変換部２ｂは、基板２ａの一方の表面に複数設けられている。  
光電変換部２ｂは、矩形状を呈し、平面視において制御ライン２ｃ１とデータライン２ｃ２とにより画された領域に設けられている。複数の光電変換部２ｂは、マトリクス状に並べられている。なお、１つの光電変換部２ｂは、１つの画素（pixel）に対応する。
【００１７】
複数の光電変換部２ｂのそれぞれには、光電変換素子２ｂ１と、スイッチング素子である薄膜トランジスタ（ＴＦＴ；Thin Film Transistor）２ｂ２が設けられている。  
また、光電変換素子２ｂ１において変換した電荷を供給する蓄積キャパシタ２ｂ３を設けることができる。蓄積キャパシタ２ｂ３は、例えば、矩形平板状を呈し、各薄膜トランジスタ２ｂ２の下に設けることができる。ただし、光電変換素子２ｂ１の容量によっては、光電変換素子２ｂ１が蓄積キャパシタ２ｂ３を兼ねることができる。
【００１８】
光電変換素子２ｂ１は、例えば、フォトダイオードなどとすることができる。  
薄膜トランジスタ２ｂ２は、蓄積キャパシタ２ｂ３への電荷の蓄積および放出のスイッチングを行う。薄膜トランジスタ２ｂ２のゲート電極は、対応する制御ライン２ｃ１と電気的に接続される。薄膜トランジスタ２ｂ２のソース電極は、対応するデータライン２ｃ２と電気的に接続される。薄膜トランジスタ２ｂ２のドレイン電極は、対応する光電変換素子２ｂ１と蓄積キャパシタ２ｂ３とに電気的に接続される。また、光電変換素子２ｂ１のアノード側と蓄積キャパシタ２ｂ３は、グランドまたは図示しないバイアスラインと電気的に接続される。
【００１９】
制御ライン２ｃ１は、所定の間隔をあけて互いに平行に複数設けられている。制御ライン２ｃ１は、例えば、行方向に延びている。  
制御ライン２ｃ１は、フレキシブルプリント基板２ｅ１を介して回路基板３に設けられた読み出し回路と電気的に接続されている。
【００２０】
データライン２ｃ２は、所定の間隔をあけて互いに平行に複数設けられている。データライン２ｃ２は、例えば、行方向に直交する列方向に延びている。  
データライン２ｃ２は、フレキシブルプリント基板２ｅ２を介して回路基板３に設けられた増幅・変換回路と電気的に接続されている。
【００２１】
保護層２ｆは、光電変換部２ｂ、制御ライン２ｃ１、およびデータライン２ｃ２を覆っている。  
保護層２ｆは、例えば、酸化物絶縁材料、窒化物絶縁材料、酸窒化物絶縁材料、および樹脂材料の少なくとも１種を含む。
【００２２】
回路基板３は、アレイ基板２の、シンチレータ４が設けられる側とは反対側に設けられている。  
回路基板３には、読み出し回路、および増幅・変換回路が設けられている。  
読み出し回路は、薄膜トランジスタ２ｂ２のオン状態とオフ状態を切り替える。  
読み出し回路は、フレキシブルプリント基板２ｅ１と制御ライン２ｃ１とを介して、制御信号Ｓ１を各制御ライン２ｃ１毎に順次入力する。制御ライン２ｃ１に入力された制御信号Ｓ１により薄膜トランジスタ２ｂ２がオン状態となり、光電変換素子２ｂ１からの信号電荷（画像データ信号Ｓ２）が受信できるようになる。
【００２３】
増幅・変換回路は、データライン２ｃ２とフレキシブルプリント基板２ｅ２とを介して光電変換部２ｂからの画像データ信号Ｓ２を順次受信し、所定の時間内にデータライン２ｃ２を流れる電流の値（電荷量）を電圧値に変換し、電位情報へと変換された画像データ信号Ｓ２をデジタル信号に変換する。
【００２４】
シンチレータ４は、複数の光電変換素子２ｂ１の上に設けられ、入射するＸ線を蛍光に変換する。シンチレータ４は、基板２ａ上の複数の光電変換部２ｂが設けられた領域（有効画素領域）を覆うように設けられている。  
シンチレータ４は、例えば、ヨウ化セシウム（ＣｓＩ）：タリウム（Ｔｌ）、あるいはヨウ化ナトリウム（ＮａＩ）：タリウム（Ｔｌ）などを用いて形成することができる。この場合、真空蒸着法などを用いて、シンチレータ４を形成すれば、複数の柱状結晶の集合体からなるシンチレータ４が形成される。
【００２５】
また、シンチレータ４は、例えば、酸硫化ガドリニウム（Ｇｄ２Ｏ２Ｓ）などを用いて形成することもできる。この場合、複数の光電変換部２ｂごとに四角柱状のシンチレータ４が設けられるように、マトリクス状の溝部を形成することができる。
【００２６】
その他、検出部１０には、蛍光の利用効率を高めて感度特性を改善するために、シンチレータ４の表面側（Ｘ線の入射面側）を覆う図示しない反射層を設けることができる。  
また、空気中に含まれる水蒸気により、シンチレータ４の特性と図示しない反射層の特性が劣化するのを抑制するために、シンチレータ４と図示しない反射層を覆う図示しない防湿体を設けることができる。
【００２７】
電源部１１は、筐体１４の内部に設けることもできるし、筐体１４の外面に着脱自在に設けることもできる。電源部１１は、回路基板３と電気的に接続されている。電源部１１は、例えば、リチウムイオン電池などの充電が可能な二次電池などとすることができる。
【００２８】
通信部１２は、筐体１４の内部に設けられている。  
通信部１２は、送信回路、受信回路、およびアンテナを有する。  
送信回路の入力側は、増幅・変換回路と電気的に接続されている。送信回路の出力側は、アンテナと電気的に接続されている。送信回路は、検出部１０からの画像データ信号Ｓ２を変調して、画像データ信号Ｓ２が乗った高周波信号を作成する。
【００２９】
受信回路の入力側は、アンテナと電気的に接続されている。受信回路の出力側は、読み出し回路と電気的に接続されている。受信回路は、アンテナを介して入力された制御信号Ｓ１が乗った電波を復調して制御信号Ｓ１を復元し、復元した制御信号Ｓ１を読み出し回路に送信する。
【００３０】
アンテナは、画像データ信号Ｓ２が乗った高周波信号を電波として筐体１４の外部に放射（送信）する。また、アンテナは、後述するアンテナ４３から放射（送信）された制御信号Ｓ１が乗った電波を受信する。
【００３１】
表示部１３は、筐体１４の内部に設けることもできるし、筐体１４の外面に設けることもできる。この場合、表示部１３の表示状態が筐体１４の外部から視認できるようになっていればよい。また、図２（ａ）、（ｂ）においては、表示部１３を筐体１４の側面に設ける場合を例示したが、表示部１３を筐体１４の撮影台２０側とは反対側の面に設けてもよい。
【００３２】
表示部１３は、回路基板３と電気的に接続されている。  
表示部１３は、例えば、発光ダイオードなどの発光素子、フィラメント電球、放電管などとすることができる。  
表示部１３は、表示状態（例えば、発光状態）によりＸ線検出器１の動作状態を表示する。表示部１３の表示状態は、例えば、点灯／消灯、点滅、点滅間隔などの点滅の状態、および発光色などである。Ｘ線検出器１の動作状態は、例えば、「電源が投入されている状態」、「電源が投入されていない状態」、「正常な状態」、「何らかの異常が発生している状態」、「回路基板３などで処理を行っている状態」、「回路基板３などで処理を行っていない状態」、「信号を送信／受信している状態」、「信号を送信／受信していない状態」「無線通信状態」、「有線通信状態」、「電源部１１の蓄電量が十分に残っている状態」、「電源部１１の蓄電量が少ない(または残量が無い)状態」などである。なお、表示部１３の表示状態、およびＸ線検出器１の動作状態は、例示をしたものに限定されるわけではない。  
表示部１３の数は、表示するＸ線検出器１の動作状態の数に応じて適宜変更することができる。
【００３３】
筐体１４は、箱状を呈している。筐体１４は、例えば、ステンレスなどの金属や、ポリフェニレンサルファイド樹脂、ポリカーボネイト樹脂、炭素繊維強化プラスチック（ＣＦＲＰ；Carbon-Fiber-Reinforced Plastic）などの樹脂を用いて形成することができる。  また、筐体１４のＸ線の入射側には開口が設けられている。開口は、入射窓により塞がれている。入射窓は、板状を呈し、Ｘ線吸収率の低い材料から形成されている。入射窓は、例えば、炭素繊維強化プラスチックなどを用いて形成することができる。
【００３４】
また、筐体１４の内部には支持板１４ａが設けられている。支持板１４ａは、板状を呈し、筐体１４の内部に固定されている。図３に示すように、支持板１４ａのＸ線の入射側の面には、アレイ基板２とシンチレータ４が設けられている。支持板１４ａのＸ線の入射側とは反対側の面には、回路基板３が設けられている。支持板１４ａは、ある程度の剛性を有し、Ｘ線吸収率がある程度高い材料から形成することが好ましい。支持板１４ａの材料は、例えば、ステンレスやアルミニウム合金などの金属とすることができる。
【００３５】
Ｘ線画像を撮影する際には、撮影台２０のＸ線照射部３０側には被検体２００が配置される。なお、図１においては、いわゆる臥位撮影台を例示したが、いわゆる立位撮影台であってもよい。  
撮影台２０には、ケース２０ａが設けられている。図１に示すように、ケース２０ａは、撮影台２０の、Ｘ線照射部３０側とは反対側に設けることができる。なお、ケース２０ａは、撮影台２０のＸ線照射部３０側に設けることもできる。ケース２０ａが、撮影台２０のＸ線照射部３０側に設けられる場合には、ケース２０ａは、撮影台２０と被検体２００の間に設けられる。  
Ｘ線検出器１は、ケース２０ａの内部に設けられる。Ｘ線検出器１をケース２０ａの内部に設けることで、Ｘ線検出器１と撮影台２０との位置関係、ひいてはＸ線検出器１とＸ線照射部３０との位置関係が規定される。  
また、ケース２０ａには、表示部１３から出射した光が透過する透過部が設けられている。透過部は、孔であってもよいし、透光性を有する材料から形成された窓であってもよい。
【００３６】
Ｘ線照射部３０は、例えば、Ｘ線を発生させる真空管とすることができる。  
また、Ｘ線照射部３０に電力を供給する図示しない高圧電源、Ｘ線ビームの形状を整形する図示しないコリメータ、Ｘ線照射部３０とＸ線検出器１の同期を制御する図示しない制御装置などを適宜設けることができる。  
なお、Ｘ線照射部３０、図示しない高圧電源、図示しないコリメータ、図示しない制御装置などには既知の技術を適用することができるので詳細な説明は省略する。
【００３７】
制御部４０は、受信回路４１、送信回路４２、アンテナ４３、画像構成回路４４、表示部４５、および入力部４６を有する。
【００３８】
受信回路４１の入力側は、アンテナ４３と電気的に接続されている。受信回路４１の出力側は、画像構成回路４４と電気的に接続されている。  
受信回路４１は、例えば、アンテナ４３を介して入力された画像データ信号Ｓ２が乗った電波を復調して画像データ信号Ｓ２を復元する。受信回路４１は、復元された画像データ信号Ｓ２を画像構成回路４４に送信する。  
送信回路４２の入力側は、画像構成回路４４と電気的に接続されている。送信回路４２の出力側は、アンテナ４３と電気的に接続されている。  
送信回路４２は、例えば、画像構成回路４４で作成された制御信号Ｓ１を変調して制御信号Ｓ１が乗った高周波信号を作成する。
【００３９】
アンテナ４３は、通信部１２に設けられたアンテナから放射された電波を受信する。また、アンテナ４３は、制御信号Ｓ１が乗った高周波信号を電波として放射（送信）する。  なお、制御信号Ｓ１を発生させる回路が回路基板３などに設けられる場合には、送信回路４２を省くことができる。
【００４０】
画像構成回路４４は、Ｘ線画像を構成する。画像構成回路４４は、画像データ信号Ｓ２に基づいて、Ｘ線画像信号を作成する。作成されたＸ線画像信号は、画像構成回路４４から表示部４５に送信される。なお、作成されたＸ線画像信号は、画像構成回路４４から外部の機器に向けて送信されるようにしてもよい。
【００４１】
また、画像構成回路４４により作成されたＸ線画像信号には、各光電変換部２ｂによって異なるオフセット成分や、回路基板３に設けられた増幅・変換回路の各積分アンプが有するオフセット成分などに起因する画像ノイズが含まれている。そのため、画像構成回路４４により作成されたＸ線画像信号に含まれるノイズ成分を除去する図示しないオフセット補正処理回路を設けることもできる。
【００４２】
また、画像構成回路４４により作成されたＸ線画像信号には、各光電変換部２ｂによって異なる光検出効率、回路基板３に設けられた増幅・変換回路の各積分アンプによって異なる増幅率、シンチレータ４の変換効率のばらつきなどに起因する感度のばらつきが含まれている。そのため、画像構成回路４４により作成されたＸ線画像信号に含まれる感度のばらつきを除去する図示しないゲイン補正処理回路を設けることもできる。
【００４３】
制御信号Ｓ１を発生させる回路、図示しないオフセット補正処理回路、およびゲイン補正処理回路は、例えば、画像構成回路４４に設けることができる。なお、画像構成回路４４、制御信号Ｓ１を発生させる回路、図示しないオフセット補正処理回路、およびゲイン補正処理回路には既知の技術を適用することができるので詳細な説明は省略する。
【００４４】
表示部４５および入力部４６は、画像構成回路４４と電気的に接続されている。  
表示部４５は、Ｘ線画像信号を光学画像（Ｘ線画像）に変換する。  
表示部４５は、例えば、フラットパネルディスプレイなどとすることができる。
【００４５】
入力部４６は、文字情報などを入力する。入力された文字情報などは、光学画像（Ｘ線画像）とともに表示部４５に表示される。  
入力部４６は、例えば、キーボードやマウスなどとすることができる。
【００４６】
ここで、図１に例示をしたように、Ｘ線検出器１は、ケース２０ａの内部に設けられる。Ｘ線検出器１をケース２０ａの内部に設ければ、Ｘ線検出器１と撮影台２０との位置関係、ひいてはＸ線検出器１とＸ線照射部３０との位置関係を規定することができる。ところが、Ｘ線検出器１には、Ｘ線検出器１の動作状態を表示するための表示部１３が設けられている。そのため、Ｘ線検出器１をケース２０ａの内部に設けると、ケース２０ａの外部から表示部１３の表示状態を視認すること、ひいてはＸ線検出器１の動作状態を知ることが困難となる。この場合、ケース２０ａに孔や窓を設ければ、孔や窓を介してケース２０ａの外部から表示部１３の表示状態を視認することができる。しかしながら、被検体２００や撮影台２０などに隠れて表示部１３の表示状態の視認が困難となる場合が多い。
【００４７】
この場合、Ｘ線検出器１には、Ｘ線画像などを表示するための表示部４５が電気的に接続されているので、Ｘ線検出器１の動作状態を表示部４５に表示することもできる。ところが、Ｘ線検出器１の機種によっては、Ｘ線検出器１が動作状態を表示部４５に表示する機能を有しているとは限らない。そのため、Ｘ線検出器１の動作状態を表示部４５に表示する機能を有していないＸ線検出器１においては、Ｘ線検出器１の動作状態を視認するのが困難となる。
【００４８】
また、一般的に、Ｘ線検出器１やＸ線照射部３０は撮影室１０１に設けられ、表示部４５は撮影室１０１とは別の操作室１０２に設けられている。そのため、Ｘ線検出器１の動作状態を表示部４５に表示すると、Ｘ線検出器１の設定を行う場所（撮影室１０１）と、Ｘ線検出器１の設定の確認を行う場所（操作室１０２）とが離れてしまう。そのため、例えば、初期設定などのように、Ｘ線検出器１の近傍においてＸ線検出器１の設定とその確認を行うことが必要となる場合には作業が煩雑となる。  
そこで、本実施の形態に係るＸ線画像撮影システム１００には、動作状態表示装置５０が設けられている。
【００４９】
図４に示すように、動作状態表示装置５０には、検出部５１（第１の検出部の一例に相当する）、遮光部５２、配線５３、および表示部５４（第２の表示部の一例に相当する）が設けられている。  
検出部５１は、Ｘ線検出器１に設けられた表示部１３の表示状態を検出する。例えば、検出部５１は、表示部１３の発光状態を検出する。検出部５１は、表示部１３から出射した光を検出する。表示部１３が複数設けられる場合には、検出部５１は、対応する表示部１３から出射した光を検出する。検出部５１は、入射した光を電気信号に変換する。検出部５１は、例えば、フォトダイオード、フォトトランジスタ、カラーセンサ、ＣＣＤセンサなどとすることができる。  
検出部５１の数は表示部１３の数と同じとすることができる。ただし、１つの表示部１３に対して種類の異なる検出部５１を複数設けることもできるし、複数の表示部１３に対して１つの検出部５１を設けることもできる。
【００５０】
遮光部５２は、検出部５１に対する外乱光を抑制するために設けられている。遮光部５２は、例えば、検出部５１と検出部５１の間に設けることができる。遮光部５２を設ければ、例えば、対応する表示部１３に隣接する表示部１３から出射した光が検出部５１に入射するのを抑制することができる。  
なお、外乱光の抑制が必要でない場合（例えば、表示部１３が１つのみ設けられる場合）には、遮光部５２を省略することもできる。
【００５１】
配線５３は、検出部５１と表示部５４とを電気的に接続する。なお、検出部５１からの電気信号を無線通信により表示部５４に送信する場合には、配線５３を省くことができる。
【００５２】
表示部５４は、検出部５１により検出された表示部１３の表示状態を表示する。表示部５４は、検出部５１からの電気信号により所定の表示を行う。表示部５４は、表示状態により表示部１３の表示状態、ひいてはＸ線検出器１の動作状態を表示する。表示部５４の表示状態は、表示部１３の表示状態と同じとすることができる。この様にすれば、表示部１３の表示状態、ひいてはＸ線検出器１の動作状態を認識するのが容易となる。  
表示部５４は、例えば、発光ダイオードなどの発光素子、フィラメント電球、放電管などとすることができる。
【００５３】
表示部５４の数は検出部５１の数と同じとすることができる。ただし、１つの検出部５１に対して複数の表示部５４を設けることもできるし、複数の検出部５１に対して１つの表示部５４を設けることもできる。
【００５４】
図１に示すように、検出部５１および遮光部５２は、表示部１３の近傍に設けられる。例えば、検出部５１および遮光部５２は、ケース２０ａの近傍に設けられる。  
一方、表示部５４は、表示部１３の近傍に設ける必要はなく、表示部１３から離れた位置に設けることができる。表示部１３は、視認が容易な場所に設けることができる。表示部５４は、例えば、撮影室１０１の壁面に設けることができる。
【００５５】
動作状態表示装置５０を設けるようにすれば、ケース２０ａの外部から表示部１３を視認することが困難な場合であっても、表示部１３の表示状態、ひいてはＸ線検出器１の動作状態を容易に視認することができる。  
この場合、Ｘ線検出器１の近傍においてＸ線検出器１の動作状態を容易に視認することができる。例えば、撮影室１０１の内部においてＸ線検出器１の動作状態を容易に視認することができる。  
そのため、初期設定などのように、Ｘ線検出器１の近傍においてＸ線検出器１の設定とその確認を行うことが必要となる場合であっても作業が煩雑となることがない。  
また、動作状態表示装置５０は、既存のＸ線検出器１にも容易に取り付けることができる。そのため、Ｘ線検出器１の動作状態を表示部４５に表示する機能を有していない既存のＸ線検出器１であっても、Ｘ線検出器１の動作状態を容易に視認することができるようになる。
【００５６】
なお、Ｘ線検出器１の動作状態を表示部４５に表示する機能を有するＸ線検出器１に動作状態表示装置５０を設けることもできる。  
この様にすれば、初期設定など際には動作状態表示装置５０によりＸ線検出器１の動作状態を視認し、通常の稼働の際には表示部４５の表示によりＸ線検出器１の動作状態を視認することができる。
【００５７】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５８】
１  Ｘ線検出器、２  アレイ基板、２ｂ  光電変換部、２ｂ１  光電変換素子、３  回路基板、４  シンチレータ、１０  検出部、１３  表示部、１４  筐体、２０  撮影台、２０ａ  ケース、３０  Ｘ線照射部、４０  制御部、５０  動作状態表示装置、５１  検出部、５２  遮光部、５３  配線、５４  表示部、１００  Ｘ線画像撮影システム、１０１  撮影室、１０２  操作室
【図１】
2018102354.tif 000003
【図２】
2018102354.tif 000004
【図３】
2018102354.tif 000005
【図４】
2018102354.tif 000006